(57)【要約】【課題】従来のモータでは、スロットセルが回転子側に飛び出す問題がある。【解決手段】モータ及び圧縮機は、回転子側に向かって突出した複数の第１歯部を有する環状のコア６０と、コア６０の両端面にそれぞれ配置され、複数の第１歯部にそれぞれ積層される複数の第２歯部を有する２つのインシュレータ７０、８０とを備えており、２つのインシュレータ７０、８０の少なくとも一方は、第１歯部の周方向外側において、第２歯部の回転子側端部からコア６０側に突出した突出部７５、８５を有する。【選択図】図２
2014161163.tif 000002
【特許請求の範囲】
【請求項１】
固定子と回転子とを備えるモータであって、
前記固定子は、
前記回転子側に向かって突出した複数の第１歯部を有する環状のコアと、
前記コアの両端面にそれぞれ配置され、前記複数の第１歯部にそれぞれ積層される複数の第２歯部を有する２つのインシュレータとを備えており、
前記２つのインシュレータの少なくとも一方は、前記第１歯部の周方向外側において、前記第２歯部の回転子側端部から前記コア側に突出した突出部を有することを特徴とするモータ。
【請求項２】
前記第１歯部は、回転子側端部に配置され且つ前記回転子側端部を除く部分より幅の大きい幅広部を有し、
前記突出部は、前記幅広部の径方向の反回転子側にある側面に対向した対向部を有していることを特徴とする請求項１に記載のモータ。
【請求項３】
前記対向部が、前記幅広部の前記側面に沿うように形成されていることを特徴とする請求項２に記載のモータ。
【請求項４】
前記複数の第１歯部の少なくとも１つの第１歯部の両側に前記突出部が配置されることを特徴とする請求項１〜３のいずれか１項に記載のモータ。
【請求項５】
前記２つのインシュレータが、前記コアの一端面に配置される第１インシュレータと、前記コアの他端面に配置される第２インシュレータとを有し、
前記複数の第１歯部の少なくとも１つの第１歯部の両側に前記第１インシュレータの第１突出部と前記第２インシュレータの第２突出部とが配置されることを特徴とする請求項１〜４のいずれか１項に記載のモータ。
【請求項６】
前記複数の第１歯部の全ての両側に前記第１インシュレータの第１突出部と前記第２インシュレータの第２突出部とが配置されると共に、前記第１インシュレータの第１突出部と前記第２インシュレータの第２突出部とが周方向に交互に配置されることを特徴とする請求項５に記載のモータ。
【請求項７】
請求項１〜６のいずれか１項に記載のモータを備えていることを特徴とする圧縮機。
【発明の詳細な説明】
【技術分野】
【０００１】
本発明は、コアとコイルとを絶縁するインシュレータを有するモータ、及びこのモータを備える圧縮機に関する。
【背景技術】
【０００２】
圧縮機としては、例えば特許文献１に記載のものが知られている。この圧縮機は、冷媒を圧縮する圧縮機構と、圧縮機構の駆動源となるモータとを備えている。モータは、環状のコアを有する固定子と、その径方向内側に配置された回転子とを有する。コアは、複数の歯部を有しており、特許文献１では、例えば歯部数が６個とされている。複数の歯部にはインシュレータの歯部が積層される。そして、コアの歯部及びインシュレータの歯部に、コイルが巻回される。
【０００３】
従来の固定子（コアの歯部数が６個もの）の一部拡大断面図である図９に示すように、コア１００とコイル１１０との間には、絶縁部材である薄肉のスロットセル１２０が配置され、コア１００とコイル１１０とが絶縁されている。このスロットセル１２０は、歯部１０１の径方向内側端部に形成された幅広部１０２の鍔部分１０３によって、スロットセル１２０の両端部１２１、１２２が径方向内側（回転子側）に撓むことが防止されている。その結果、スロットセル１２０が、幅広部１０２よりも径方向内側に飛び出さないようになっている。
【先行技術文献】
【特許文献】
【０００４】
【特許文献１】特開２００２−２７２０４３号公報
【発明の概要】
【発明が解決しようとする課題】
【０００５】
ところで、近年では、コアの歯部数を増加させることにより（例えば６個から９個）、モータ性能を向上させる傾向にある。しかしながら、従来の歯部の形状のまま、歯部数を６個から９個に増加させると、図１０（ａ）に示すように、隣接する歯部２０１間の距離Ｌ２が、隣接する歯部１０１間の距離Ｌ１（図９参照）に比べて短くなり、その結果、短絡が生じる問題がある。
【０００６】
そこで、コアの歯部数が９個の固定子では、図１０（ｂ）に示すように、幅広部２０２の鍔部分２０３を短くするなどして隣接する歯部２０１間の距離Ｌ３を所定長さ以上確保し、短絡を防止している。しかしながら、鍔部分２０３が短くなる結果、図１０（ｂ）に示すように、スロットセル２２０の両端部２２１、２２２が径方向内側に撓んで幅広部２０２よりも径方向内側（回転子側）に飛び出し、回転子と接触するなどの問題が生じるおそれがある。
【０００７】
そこで、本発明は、スロットセルが回転子側に飛び出すことを防止したモータ及び圧縮機を提供することを目的とする。
【課題を解決するための手段】
【０００８】
第１の発明に係るモータは、固定子と回転子とを備えるモータであって、前記固定子は、前記回転子側に向かって突出した複数の第１歯部を有する環状のコアと、前記コアの両端面にそれぞれ配置され、前記複数の第１歯部にそれぞれ積層される複数の第２歯部を有する２つのインシュレータとを備えており、前記２つのインシュレータの少なくとも一方は、前記第１歯部の周方向外側において、前記第２歯部の回転子側端部から前記コア側に突出した突出部を有することを特徴とする。
【０００９】
このモータでは、２つのインシュレータの少なくとも一方が、第１歯部の周方向外側において、第２歯部の回転子側端部からコア側に突出した突出部を有しているので、例えば第１歯部の幅広部の鍔部分を短くした場合や、第１歯部が幅広部を有さないであっても、この突出部によってスロットセルが回転子側に飛び出すことを防止できる。
【００１０】
第２の発明に係るモータは、第１の発明において、前記第１歯部は、回転子側端部に配置され且つ前記回転子側端部を除く部分より幅の大きい幅広部を有し、前記突出部は、前記幅広部の径方向の反回転子側にある側面に対向した対向部を有していることを特徴とする。
【００１１】
このモータでは、第１歯部が幅広部を有し、突出部が幅広部の径方向の反回転子側にある側面に対向した対向部を有しているので、この対向部がコイルと幅広部とにより支持され、突出部が変形することが抑制される。よって、スロットセルが回転子側に撓もうとする力により突出部が回転子側に変形して、突出部及びスロットセルが回転子側に飛び出してしまうことが防止される。その結果、突出部によってスロットセルが回転子側に飛び出すことを防止できる。
【００１２】
第３の発明に係るモータは、第２の発明において、前記対向部が、前記幅広部の前記側面に沿うように形成されていることを特徴とする。
【００１３】
このモータでは、対向部が第１歯部の幅広部の径方向の反回転子側にある側面に沿うように形成されているので、コアにインシュレータを積層する際に、この対向部によってインシュレータを位置合わせできる。その結果、位置決め用の部材を使用せずに、容易にインシュレータの位置合わせを行うことが可能となる。
【００１４】
第４の発明に係るモータは、第１〜第３のいずれかの発明において、前記複数の第１歯部の少なくとも１つの第１歯部の両側に前記突出部が配置されることを特徴とする。
【００１５】
このモータでは、第１歯部の周方向両外側に突出部が配置されるので、２つの突出部でスロットセルを２箇所支持することができ、スロットセルが回転子側に飛び出すことをより確実に防止できる。
【００１６】
第５の発明に係るモータは、第１〜第４のいずれかの発明において、前記２つのインシュレータが、前記コアの一端面に配置される第１インシュレータと、前記コアの他端面に配置される第２インシュレータとを有し、前記複数の第１歯部の少なくとも１つの第１歯部の両側に前記第１インシュレータの第１突出部と前記第２インシュレータの第２突出部とが配置されることを特徴とする。
【００１７】
このモータでは、複数の第１歯部の少なくとも１つの第１歯部の両側に第１インシュレータの第１突出部と第２インシュレータの第２突出部とが配置されるため、コイルの巻回方向に沿って第１突出部及び第２突出部を突出させることが可能となる。その結果、この歯部に容易にコイルを巻回することができる。
【００１８】
第６の発明に係るモータは、第５の発明において、前記複数の第１歯部の全ての両側に前記第１インシュレータの第１突出部と前記第２インシュレータの第２突出部とが配置されると共に、前記第１インシュレータの第１突出部と前記第２インシュレータの第２突出部とが周方向に交互に配置されることを特徴とする。
【００１９】
このモータでは、第１歯部の全ての両側に、第１突出部と第２突出部とが配置されると共に、第１突出部と第２突出部とが周方向に交互に配置される。各第１歯部に巻回されるコイルの巻回方向は、通常、全ての歯部において同一向きであるため、このモータであれば、全ての第１歯部において、コイルの巻回方向に沿って第１突出部及び第２突出部を突出させることが可能となる。その結果、全ての第１歯部に容易にコイルを巻回することができる。
また、全ての第１歯部の周方向両外側に突出部が配置されることとなるので、この突出部で各スロットセルを２箇所ずつ支持でき、スロットセルが回転子側に飛び出すことをより確実に防止できる。
また、第１インシュレータと、第２インシュレータとを略同一形状とできるので、インシュレータの製造が容易となる。
【００２０】
第７の発明に係る圧縮機は、第１〜第６のいずれかの発明に記載のモータを備えることを特徴とする。
【００２１】
この圧縮機では、スロットセルが回転子側に飛び出すことを防止したモータを備える圧縮機を提供できる。
【発明の効果】
【００２２】
以上の説明に述べたように、本発明によれば、以下の効果が得られる。
【００２３】
第１の発明では、２つのインシュレータの少なくとも一方が、第１歯部の周方向外側において、第２歯部の回転子側端部からコア側に突出した突出部を有しているので、例えば第１歯部の幅広部の鍔部分を短くした場合や、第１歯部が幅広部を有さないであっても、この突出部によってスロットセルが回転子側に飛び出すことを防止できる。
【００２４】
第２の発明では、第１歯部が幅広部を有し、突出部が幅広部の径方向の反回転子側にある側面に対向した対向部を有しているので、この対向部がコイルと幅広部とにより支持され、突出部が変形することが抑制される。よって、スロットセルが回転子側に撓もうとする力により突出部が回転子側に変形して、突出部及びスロットセルが回転子側に飛び出してしまうことが防止される。その結果、突出部によってスロットセルが回転子側に飛び出すことを防止できる。
【００２５】
第３の発明では、対向部が第１歯部の幅広部の径方向の反回転子側にある側面に沿うように形成されているので、コアにインシュレータを積層する際に、この対向部によってインシュレータを位置合わせできる。その結果、位置決め用の部材を使用せずに、容易にインシュレータの位置合わせを行うことが可能となる。
【００２６】
第４の発明では、第１歯部の周方向両外側に突出部が配置されるので、２つの突出部でスロットセルを２箇所支持することができ、スロットセルが回転子側に飛び出すことをより確実に防止できる。
【００２７】
第５の発明では、複数の第１歯部の少なくとも１つの第１歯部の両側に第１インシュレータの第１突出部と第２インシュレータの第２突出部とが配置されるため、コイルの巻回方向に沿って第１突出部及び第２突出部を突出させることが可能となる。その結果、この歯部に容易にコイルを巻回することができる。
【００２８】
第６の発明では、第１歯部の全ての両側に、第１突出部と第２突出部とが配置されると共に、第１突出部と第２突出部とが周方向に交互に配置される。各第１歯部に巻回されるコイルの巻回方向は、通常、全ての歯部において同一向きであるため、このモータであれば、全ての第１歯部において、コイルの巻回方向に沿って第１突出部及び第２突出部を突出させることが可能となる。その結果、全ての第１歯部に容易にコイルを巻回することができる。
また、全ての第１歯部の周方向両外側に突出部が配置されることとなるので、この突出部で各スロットセルを２箇所ずつ支持でき、スロットセルが回転子側に飛び出すことをより確実に防止できる。
また、第１インシュレータと、第２インシュレータとを略同一形状とできるので、インシュレータの製造が容易となる。
【００２９】
第７の発明では、スロットセルが回転子側に飛び出すことを防止したモータを備える圧縮機を提供できる。
【図面の簡単な説明】
【００３０】
【図１】本発明の実施形態に係る圧縮機の縦断面図である。
【図２】図１に示した固定子を上側から見た斜視図である。
【図３】図２に示した固定子のIII−III線に沿った断面図である。
【図４】（ａ）は、図３に示した固定子の一部拡大図であり、（ｂ）は、Ａ部詳細図である。
【図５】（ａ）は、図２に示した上インシュレータを上側から見た斜視図であり、（ｂ）は、下インシュレータを下側から見た斜視図である。
【図６】図５に示した上および下インシュレータの部分拡大図であり、（ａ）は斜視図、（ｂ）は内壁部を径方向内側から見た図である。
【図７】図２に示した固定子の展開図である。
【図８】図６（ａ）に示した上及び下インシュレータの変形例である。
【図９】従来の固定子（コアの歯部数が６個のもの）の一部拡大断面図である。
【図１０】従来の固定子（コアの歯部数が９個のもの）の一部拡大断面図である。
【発明を実施するための形態】
【００３１】
以下、図面を参照しつつ本発明を実施するための形態について説明する。
【００３２】
［圧縮機１］
圧縮機１は、図１に示すように、１シリンダ型のロータリ圧縮機であって、アキュムレータ２と、密閉ケーシング３と、密閉ケーシング３内に配置された駆動機構４及び圧縮機構５とを備えている。駆動機構４は、圧縮機構５の上方に配置されている。圧縮機構５は、シリンダ５１と、フロントヘッド５２と、リアヘッド５３とを有する。また、密閉ケーシング３の底部には、圧縮機構５の摺動部の動作を滑らかにするための潤滑油Ｌが貯留されている。なお、図１では、駆動機構４の断面を示すハッチングを省略して図示している。
【００３３】
圧縮機１では、アキュムレータ２の入口管２ａから導入された冷媒（本実施形態では、ＣＯ２）が、吸入管６から密閉ケーシング３内に導入され、圧縮機構５で圧縮された後、排出管７から排出される。この圧縮機１は、例えば空調装置などの冷凍サイクルに組み込まれて使用され、図１に示す向き、即ち、シャフト９の向きが上下方向となる向きに設置される。
【００３４】
［駆動機構４］
駆動機構４は、圧縮機構５を駆動するものであって、駆動源となるモータ８と、モータ８によって駆動されるシャフト９とを有する。このモータ８は、各相（Ｕ相、Ｖ相、Ｗ相）のコイル９０（図１では、図示省略）を後述する環状のコア６０の歯部６２に巻回した巻線方式が集中巻きのモータであり、このコア６０を含む固定子１０と、その径方向内側に配置された回転子１１とを有する。シャフト９は、回転子１１の略中央部に形成された貫通孔１１ａに挿入されている。
【００３５】
図１及び図２に示すように、固定子１０は、環状のコア６０と、コア６０の両端面にそれぞれ配置された上インシュレータ７０（第１インシュレータ）および下インシュレータ８０（第２インシュレータ）と、コア６０と上および下インシュレータ７０、８０とに巻回されたコイル９０（図１では、図示省略）とを有する。
【００３６】
＜コア６０＞
コア６０は、金属材料からなる複数の薄板が互いに積層されると共に、溶接などにより互いに接合されることによって形成されている。このコア６０は、図３に示すように、環状のバックヨーク部６１と、このバックヨーク部６１から径方向内側に向かって突出した９個の歯部６２（第１歯部）と、隣接する歯部６２の間に形成された９個のスロット６３とを有する。コア６０の略中央部に形成された貫通孔Ｈには、回転子１１が配置される。
【００３７】
歯部６２は、バックヨーク部６１の内周面から径方向内側に突出する径方向外側部分６４（回転子側端部を除く部分）と、この径方向外側部分６４の径方向内側端部（回転子側端部）に配置され、径方向外側部分６４よりも周方向に幅広に形成される幅広部６５とを有する。なお、径方向外側部分６４（回転子側端部を除く部分）とは、歯部６２（第１歯部）のうち、バックヨーク部６１の内周面から幅広部６５の手前までの部分を言う。
【００３８】
９個のスロット６３は、コア６０を上下方向に貫通して形成される。この９個のスロット６３は、互いに隣接する歯部６２の幅広部６５の間に形成される開口６５Ｈ（図３においては、煩雑を避けるため、９つある開口のうちの１つにのみ符号を付している）を介して、貫通孔Ｈに連通している。上記したコイル９０は、この開口６５Ｈを介してスロット６３の内部に挿入される巻線機のノズル（図示せず）によって、各歯部６２に巻回される。なお、コイル９０の巻回方向は、全ての歯部６２において同一方向（Ｐ３方向（図７参照））とされている。
【００３９】
＜スロットセル６８＞
この９個のスロット６３には、歯部６２とコイル９０とを絶縁するためのスロットセル６８（厚み：０．１ｍｍ〜０．５ｍｍ）がそれぞれ挿入されている。スロットセル６８は、例えばＰＥＴ（ポリエチレンテレフタレート（polyethylene terephthalate））からなるフィルムである。但し、ＰＥＴよりヤング率が大きいアラミド系の不織布であってもよいし、その他の樹脂で形成されていてもよい。
【００４０】
このスロットセル６８は、スロット６３の形状に沿って配置され、図４に示すように、コア６０のバックヨーク部６１の内周面に対向する第１側面部６８ａと、第１側面部６８ａの両端から径方向内側に延在し、かつ歯部６２の径方向外側部分６４の外周面に対向する２つの第２側面部６８ｂ、６８ｂと、第２側面部６８ｂ、６８ｂの径方向内側端部から周方向に延在する第３側面部６８ｃ、６８ｃとを有する。
【００４１】
また、９個のスロットセル６８の第３側面部６８ｃ、６８ｃの径方向内側、かつ歯部６２の周方向両外側には、後述する突出部７５（第１突出部）、８５（第２突出部）が配置されている。
【００４２】
＜上及び下インシュレータ７０、８０＞
上記の突出部７５、８５を有する上および下インシュレータ７０、８０は、コア６０とコイル９０とを絶縁する部材であり、図２に示すように、コア６０の両端面に配置されている。これら上および下インシュレータ７０、８０は、例えば、液晶ポリマー（ＬＣＰ）やポリブチレンテレフタレート（ＰＢＴ）やポリフェニレンサルファイド（ＰＰＳ）やポリイミドやポリエステル等の耐熱性の良い樹脂により形成されている。
【００４３】
＜上インシュレータ７０＞
上インシュレータ７０（第１インシュレータ）は、図１に示すように、コア６０の上端面６０ａに配置されている。この上インシュレータ７０は、図２、図５（ａ）及び図６に示すように、径方向内側に向けて突出した９個の歯部７１（第２歯部）と、歯部７１の径方向外側端部に形成された略環状の外壁部７２と、歯部７１の径方向内側端部（回転子側端部）にそれぞれ形成された内壁部７３と、外壁部７２と内壁部７３との間においてコイルが巻回されるコイル装着部７４（巻線装着部）とを有する。９個の歯部７１は、コア６０の９個の歯部６２にそれぞれ積層される。外壁部７２は、歯部７１及びコア６０の歯部６２に巻回されたコイル９０が径方向外側に向けて崩れるのを防止するものである。内壁部７３は、コイル９０が径方向内側に向けて崩れるのを防止するものである。この内壁部７３には、突出部７５が一体に形成されている。
【００４４】
突出部７５（第１突出部）は、図６に示すように、各内壁部７３の周方向両端部のうちの一端部７３ａ（反コア側（上方）から見て左側端部）から下方側（即ち、コア６０側）に突出している。突出部７５の突出長さＬ４は、スロットセル６８の撓み防止の観点、及び製造上の都合等を考慮して適宜定められるものである。但し、少なくともスロットセル６８の一部を支持できる程の長さが必要である。なお、本実施形態においては、突出部７５の突出長さＬ４を、コア６０の上下方向長さＬ５（図７参照）の略半分としている。
【００４５】
突出部７５は、図４（ｂ）及び図６に示すように、幅広部６５の周方向外側面６５ａよりも周方向外側に配置された支持部７６と、この支持部７６から径方向外側部分６４側に向かって突出し、幅広部６５の径方向外側面６５ｂ（幅広部６５の径方向の反回転子側にある側面）に対向した対向部７７とを有する。
【００４６】
支持部７６は、支持部７６の径方向外側面７６ａがスロットセル６８の第３側面部６８ｃに当接することで、スロットセル６８を径方向内側から支持している。一方、対向部７７は、コイル９０（スロットセル６８を介して）と径方向外側面６５ｂとの間に挟まれることで、コイル９０及び径方向外側面６５ｂに支持されている。
【００４７】
また、この対向部７７は、径方向外側面６５ｂに沿うように形成されている。「沿うように」とは、例えば、図４（ｂ）に示すように、対向部７７の突出方向（Ｐ１方向）と径方向外側面６５ｂの法線方向とが略直交し、かつ対向部７７が径方向外側面６５ｂと当接又は近接している状態を意味する。
【００４８】
＜下インシュレータ８０＞
下インシュレータ８０（第２インシュレータ）は、コア６０の下端面６０ｂに配置されている。この下インシュレータ８０は、図５（ｂ）に示すとおり、上述した上インシュレータ７０と略同じ構成である。そのため、下インシュレータ８０の各構成要素のうち上インシュレータ７０の各構成要素７１〜７７に対応する構成要素については、対応する符号８１〜８７を付し、その説明は省略する。
【００４９】
上および下インシュレータ７０、８０がコア６０の両端面に配置されることにより、図７の展開図に示すように、コア６０の９個の歯部６２全ての両側６２Ｌ、６２Ｒに、上インシュレータ７０の突出部７５と下インシュレータ８０の突出部８５とが配置されると共に、上インシュレータ７０の突出部７５と下インシュレータ８０の突出部８５とが周方向（Ｐ２方向）に交互に配置されることとなる。その結果、上インシュレータ７０の突出部７５の突出方向と、下インシュレータ８０の突出部８５の突出方向とが、コイル９０の巻回方向（Ｐ３方向）と一致することとなる。
【００５０】
［本実施形態のモータ８及び圧縮機１の特徴］
本実施形態のモータ８及び圧縮機１には以下の特徴がある。本実施形態のモータ８では、上および下インシュレータ７０、８０が、コア６０の歯部６２の周方向外側において、上および下インシュレータ７０、８０の歯部７１、８１の内壁部７３、８３からコア６０側に突出した突出部７５、８５を有している。そのため、この突出部７５、８５によって、コア６０の各スロット６３に配置されたスロットセル６８が径方向内側に飛び出すことを防止できる。
【００５１】
また、本実施形態のモータ８では、コア６０の歯部６２が幅広部６５を有し、突出部７５、８５が幅広部６５の径方向外側面６５ｂ、６５ｂに対向した対向部７７、８７を有しているので、コイル９０を巻回した際、この対向部７７、８７がコイル９０（スロットセル６８を介して）と幅広部６５の径方向外側面６５ｂ、６５ｂとの間に挟まれ、対向部７７、８７がコイル９０及び幅広部６５によって支持される。その結果、この対向部７７、８７と一体の支持部７６、８６の変形が記載される。よって、スロットセル６８が径方向内側に撓もうとする力により支持部７６、８６が径方向内側に変形してしまうことが防止される。その結果、スロットセル６８が径方向内側に飛び出すことをより確実に防止できる。
【００５２】
また、本実施形態のモータ８では、突出部７５、８５の対向部７７、８７が、歯部６２の幅広部６５の径方向外側面６５ｂ、６５ｂに沿うように形成されているので、コア６０に上および下インシュレータ７０、８０を積層する際に、この対向部７７、８７によって上および下インシュレータ７０、８０を位置合わせできる。その結果、位置決め用の部材を使用せずに、容易に上および下インシュレータ７０、８０の位置合わせを行うことが可能となる。
【００５３】
また、本実施形態のモータ８では、各々の歯部６２の両側６２Ｌ、６２Ｒに突出部７５、８５が配置されているので、２つの突出部７５、８５でスロットセル６８を２箇所支持することができ、スロットセル６８が回転子側に飛び出すことをより確実に防止できる。
【００５４】
また、本実施形態のモータ８では、各々の歯部６２に、コイル９０の巻回方向（Ｐ３方向）に沿って突出部７５、８５が突出しているので、当該歯部６２において、容易にコイル９０を巻回することができる。
【００５５】
また、本実施形態のモータ８では、突出部７５、８５が周方向に交互に配置されているので、各コイル９０の巻回方向（Ｐ３方向）に沿って突出部７５、８５が突出していることとなる。よって、全ての歯部６２において容易にコイルを巻回することができる。また、全ての歯部６２の周方向外側に突出部７５、８５が配置されることとなるので、この突出部７５、８５で各スロットセル６８を２箇所ずつ支持でき、スロットセル６８が径方向内側に飛び出すことをより確実に防止できる。
【００５６】
また、本実施形態の圧縮機１では、上記したモータ８を備えているので、スロットセル６８が径方向内側に飛び出すことを防止したモータ８を備える圧縮機を提供できる。
【００５７】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００５８】
例えば、本実施形態では、突出部７５、８５が周方向に交互に配置されているが、突出部７５、８５は、周方向に交互に配置していなくてもよい。
【００５９】
例えば、コイル９０の巻回方向が、各相（Ｕ相、Ｖ相、Ｗ相）のコイル９０毎に異なる場合にあっては、各相のコイル９０の巻回方向に合わせて、突出部７５、８５を突出させてもよい。また、コイル９０の巻回方向が、各歯部６２に巻回されたコイル９０毎に、異なる場合にあっては、各コイル９０の巻回方向に合わせて、突出部７５、８５を突出させてもよい。その結果、コイル９０の巻回方向が各歯部６２毎によって異なる場合であっても、容易にコア６０と上および下インシュレータ７０、８０にコイル９０を巻回することができる。
【００６０】
また、本実施形態では、上および下インシュレータ７０、８０の全ての歯部７１、８１から突出部７５、８５突出させたが、コア側６０の歯部６２のうちの少なくとも１つの両側６２Ｌ、６２Ｒに突出部７５、８５が配置されるのであれば、全ての歯部７１、８１から突出部７５、８５突出させる必要はない。
【００６１】
また、本実施形態では、コア側６０の歯部６２の一方側（左側６２Ｌ）に、上インシュレータ７０の突出部７５を設け、コア側６０の歯部６２の他方側（右側６２Ｒ）に、下インシュレータ８０の突出部８５を設けたが、コア側６０の歯部６２の両側６２Ｌ、６２Ｒに、上インシュレータ７０の突出部７５を設け、下インシュレータ８０には、突出部を形成しなくてもよい。また、コア側６０の歯部６２の両側６２Ｌ、６２Ｒに、下インシュレータ８０の突出部８５を設け、上インシュレータ７０には、突出部を形成しなくてもよい。
【００６２】
このような構成であっても、コア側６０の歯部６２の周方向両外側に突出部が配置されることとなるので、スロットセルが回転子側に飛び出すことをより確実に防止できる。
【００６３】
また、本実施形態では、コア側６０の歯部６２の両側６２Ｌ、６２Ｒに、突出部を設けたが、コア側６０の歯部６２の片側にのみ突出部があってもよい。
【００６４】
また、本実施形態では、突出部７５、８５が、対向部７７、８７を有し、その対向部７７、８７が幅広部６５の径方向外側面６５ｂ、６５ｂに沿うように形成されているが、必ずしも径方向外側面６５ｂ、６５ｂに沿うように形成されている必要はない。また、対向部７７、８７はなくてもよい。
【００６５】
また、本実施形態では、対向部７７、８７は、図６に示すように、支持部７６、８６の上下方向全体から突出している。しかし、対向部７７、８７は、例えば図８に示すように、支持部７６、８６の上下方向における一部（図８では内壁部７３、８３と反対側の端部）からのみ突出していてもよい。但し、その場合、対向部７７、８７は、支持部７６、８６の変形防止の観点から、内壁部７３、８３と離れた位置にあることが好ましく、図７に示すように、内壁部７３、８３と反対側の端部にあることが最も好ましい。
【００６６】
また、本実施形態では、突出部７５、８５を上及び下インシュレータ７０、８０に一体に形成しているが、突出部７５、８５を別に製造し、上及び下インシュレータ７０、８０に取り付けたものであってもよい。
【００６７】
また、本実施形態においては、上および下インシュレータ７０、８０の内壁部７３、８３から突出部７５、８５を突出させたが、突出部７５、８５は、歯部７２、８２の径方向内側端部から突出していればよく、内壁部７３、８３はなくてもよい。
【００６８】
また、本実施形態においては、歯部６２は、径方向外側部分６４よりも周方向に幅広に形成される幅広部６５を有するが、幅広部６５はなくてもよい。
【００６９】
また、本実施形態においては、コア６０を有する固定子１０の内側に回転子１１を備えたモータ８について説明したが、コアを有する固定子の外側に回転子を有するモータにも本発明を適用できる。なお、その場合、コアは、環状のバックヨーク部と、環状のバックヨーク部の外周面から径方向外側に向かって突出した複数の歯部（第１歯部）を備える構成を有する。
【産業上の利用可能性】
【００７０】
本発明を利用すれば、スロットセルが回転子側に飛び出すことを防止できる。
【符号の説明】
【００７１】
１  圧縮機
８  モータ
１０  固定子
１１  回転子
６０  コア
６０ａ  上端面（一端面）
６０ｂ  下端面（他端面）
６２  歯部（第１歯部）
６４  径方向外側部分（回転子側端部を除く部分）
６５  幅広部
６５ｂ  径方向外側面（幅広部の径方向の反回転子側にある側面）
７０  上インシュレータ（第１インシュレータ）
７１、８１  歯部（第２歯部）
７５  突出部（第１突出部）
７７、８７  対向部
８０  下インシュレータ（第２インシュレータ）
８５  突出部（第２突出部）
【図１】
2014161163.tif 000003
【図２】
2014161163.tif 000004
【図３】
2014161163.tif 000005
【図４】
2014161163.tif 000006
【図５】
2014161163.tif 000007
【図６】
2014161163.tif 000008
【図７】
2014161163.tif 000009
【図８】
2014161163.tif 000010
【図９】
2014161163.tif 000011
【図１０】
2014161163.tif 000012